(57)【要約】【課題】汚物流し使用時の医療廃棄物の飛散を抑制し、その飛沫が手に触れる可能性を抑制すると共に、飛散防止のための手段の洗浄処置を容易にすること。【解決手段】廃棄物を投入するボウルと、前記ボウルに溜水を形成するトラップと、前記ボウルに洗浄水を供給する給水手段とを有する汚物流しにおいて、前記ボウルの上面に蓋手段を配置すると共に、前記蓋手段の溜水への対向面が内側となるように少なくとも１つ以上のヒンジが配置されていることを特徴とすることにより、前記蓋手段は前記ボウルとの対向面に触れることなく衛生的に蓋手段を開閉することができるようになった。  【選択図】  図１
2017121328.tif 000002
【特許請求の範囲】
【請求項１】
廃棄物を投入するボウルと、
前記ボウルに溜水を形成するトラップと、
前記ボウルに洗浄水を供給する給水手段とを有する汚物流しにおいて、前記ボウルの上面に蓋手段を配置すると共に、前記蓋手段の溜水への対向面が内側となるように少なくとも１つ以上のヒンジが配置されていることを特徴とする汚物流し。
【請求項２】
前記蓋手段は前記ボウルに対して着脱を可能とする着脱手段を有することを特徴とする請求項１に記載の汚物流し。
【発明の詳細な説明】
【技術分野】
【０００１】
本発明は、排泄物などの廃棄のための汚物流しが多用される医療機関の使い方に配慮した安全性配慮を実施することに係り、特に看護師を始めとする医療従事者の衛生性維持に好適な汚物流しに関する発明である。 
【背景技術】
【０００２】
従来の汚物流しは、投入した医療廃棄物の飛散りが医療従事者の衛生性の支障になる恐れがあることから、飛散りを防ぐ開閉可能なカバー手段を設けたものがある（例えば、特許文献１参照。）。 
このような場合、医療従事者が直接飛散した医療廃棄物に触れることを防止できるものの、内側に飛散したものが垂れて医療従事者に触れる恐れがあるだけでなく、それを拭い取る作業負荷が大きいという問題があった。
【先行技術文献】
【特許文献】
【０００３】
【特許文献１】特許４３２７８８１号公報
【発明の概要】
【発明が解決しようとする課題】
【０００４】
本発明は、上記問題を解決するためになされたもので、本発明の課題は、汚物流し使用時の医療廃棄物の飛散を抑制し、その飛沫が手に触れる可能性を抑制すると共に、飛散防止のための手段の洗浄処置を容易にすることである。
【課題を解決するための手段】
【０００５】
上記目的を達成するために請求項１記載の発明によれば、廃棄物を投入するボウルと、前記ボウルに溜水を形成するトラップと、前記ボウルに洗浄水を供給する給水手段とを有する汚物流しにおいて、前記ボウルの上面に蓋手段を配置すると共に、前記蓋手段の溜水への対向面が内側となるように少なくとも１つ以上のヒンジが配置されていることを特徴とすることにより、前記蓋手段は前記ボウルとの対向面に触れることなく衛生的に蓋手段を開閉することができるようになった。
【０００６】
また、請求項２記載の発明によれば、前記蓋手段は前記ボウルに対して着脱を可能とする着脱手段を有することを特徴とすることにより、定期的な洗浄動作が容易に実施できるようになった。
【発明の効果】
【０００７】
本発明によれば、汚物流し使用時の医療廃棄物の飛散を抑制し、その飛沫が手に触れる可能性を抑制すると共に、飛散防止のための手段の洗浄処置を容易にすることができるという効果がある。
【図面の簡単な説明】
【０００８】
【図１】本発明の蓋手段の閉止状態を示す斜視図である。
【図２】本発明の蓋手段の開放状態を示す斜視図である。
【図３】本発明の蓋手段の回動動作を示す断面図である。
【発明を実施するための形態】
【０００９】
図１は、本発明の汚物流しの蓋の閉止状態を示す斜視図である。図２は、本発明の汚物流しの蓋の開放状態を示す斜視図である。図３は、本発明の蓋の回動動作を示す断面図である。図３において、実線の蓋部材が蓋部材の閉止状態を示し、点線の蓋部材が蓋部材の回動途中の状態を示す。
図１乃至図３を使用して、汚物流し使用時の医療廃棄物の飛散を抑制し、その飛沫が手に触れる可能性を抑制すると共に、飛散防止のための手段の洗浄処置を容易にすることができるという効果を詳説する。
【００１０】
汚物流し１は、医療廃棄物を投入するボウル２と、ボウル２に給水を行うためのフラッシュバルブ３と、ボウル２の上縁部に形成されたリム４と、リム４に回動自在に取り付けられた蓋部材５と、を有する。
なお、本図の事例では給水手段として、フラッシュバルブ３を示したが、貯水タンクにより洗浄水が供給されるタイプのものであってもよい。
【００１１】
ボウル２の下部には、逆Ｕ字形状の排水トラップ管路（図示せず）が連結されており、この排水トラップ管路を経て医療廃棄物を下水配管（図示せず）へ排出することが可能となっている。
また、ボウル２には、排水トラップ管路により溜水（図示せず）が形成されており、下水配管内の臭気・害虫・感染性物質などが拡散しないようになっている。
【００１２】
リム４の内周部には、導水路（図示せず）が形成されており、フラッシュバルブ３からの洗浄水をボウル２に導水することができる。
【００１３】
蓋部材５は、閉止時にボウル２を覆うように形成されている。
閉止時の蓋部材５の背面は、ボウル２に形成された溜水と対向している。
【００１４】
蓋部材５は、蓋部材５の回動軸方向と平行な折れ線Ａを介して前半体５１と後半体５２とで構成され、蓋部材５の背面に設けられた弾性ヒンジ６によって連結されている。
そのため、蓋部材５は、弾性ヒンジ６が変形することで、折れ線Ａの位置において前半体５１及び後半体５２それぞれの背面が対面するように２つ折り可能となっている。
また、蓋部材５は、蓋部材５の背面に設けた弾性ヒンジ６と蓋部材５の厚さによって前半体５１及び後半体５２それぞれの正面が対面して２つ折りにならないようになっている。
【００１５】
前半体５１の表面には、自然な手の状態で開閉動作ができるように蓋部材５の回動軸と平行な方から手を挿入可能な取っ手８が前半体５１の回動軸と交差方向に取り付けられている。
医療従事者は、取っ手８を使用することで、医療廃棄物の付着した可能性のある蓋部材５に直接触れることなく、蓋部材５の回動を行うことができる。
【００１６】
後半体５２の背面には、ヒンジ７が設けられており、蓋部材５とリム４とが接続されている。
ヒンジ７は、ネジ９によってリム４に組み付けられており、ネジ９をリム４からはずすことで、蓋部材５をリム４から取り外すことができるようになっている。
【００１７】
図３に示すように、閉止時の蓋部材５は、蓋部材５の前半体５１の背面の一部とリム４の上面とが当接して閉止されるようにリム４に取り付けられている。なお、閉止時において、蓋部材５の背面全体がリム４の上面と当接するように蓋部材５をリム４に取り付けてもよい。
【００１８】
蓋部材５は、閉止状態（図３における実線の状態）から、前半体５１及び後半体５２のそれぞれの背面が対面するように２つ折りになる回動途中の状態（図３おける点線の状態）を経て、前半体５１及び後半体５２とのそれぞれの背面が当接している開放状態（図２の状態）になる。
【００１９】
医療廃棄物を排出する場合、医療従事者は、ボウル２が蓋部材５により閉止された状態でフラッシュバルブ３の操作を行い、ボウル２から医療廃棄物を排出させる。この排出動作を行う際に、ボウル２内で飛散した医療廃棄物は、蓋部材５の背面に付着する。つまり、飛散した医療廃棄物が排出時に医療従事者に触れる可能性を抑制することができる。
【００２０】
また、医療従事者が蓋部材５を開放する際、蓋部材５は、回動軸を中心に回動するとともに、前半体５１及び後半体５２のそれぞれの背面が対面するように２つ折りになりボウル２を露出させる。つまり、医療廃棄物の付着した蓋部材５の背面が医療従事者に向くことなく蓋部材５が開放するため、開放時に飛散した医療廃棄物が蓋部材５から垂れて医療従事者に触れる可能性を抑制することができる。
【００２１】
さらに、医療廃棄物が付着した蓋部材５を清掃する場合、ネジ９を緩めて蓋部材５を取り外し、蓋部材５を丸ごと清掃することができるため、医療従事者は、蓋部材５の清掃処理を容易に行うことができる。
【００２２】
本実施例において、弾性ヒンジ６によって前半体５１と後半体５２とが連結しているが、これに限るものではなく、蓋部材５の下面に前半体５１と後半体５２を連結するように布部材を渡して取り付け、この布部材が折れることで蝶番の機能を発揮させても良く、また紐を渡すような構造であっても良い。
また、本実施例において、開放時に蓋部材５は２つ折りになり、前半体５１及び後半体５２のそれぞれの背面が対面して当接しているが、蓋部材５の大きさにより、開放時に蓋部材５が３つ折り、５つ折り・・となり、蓋部材５を構成する部材の背面どうしが対面して内部空間を形成するように、蓋部材５をより細かく分割した部材で構成し、弾性ヒンジ６で連結しても良い。
さらに、医療廃棄物の排出時に、飛散した医療廃棄物が医療従事者に触れることをさらに抑制するために、リム４と当接する蓋部材５の前半体５１の背面にフックや吸盤などの浮き防止手段を設けることや蓋部材５の背面にリム４の内周と嵌合するようなリブ形成することをしてもよい。
【符号の説明】
【００２３】
１…汚物流し
２…ボウル
３…フラッシュバルブ
４…リム
５…蓋部材
６…弾性ヒンジ
７…ヒンジ
８…取っ手
９…ネジ
５１…前半体
５２…後半体  
【図１】
2017121328.tif 000003
【図２】
2017121328.tif 000004
【図３】
2017121328.tif 000005